(57)【特許請求の範囲】
【請求項１】
銀行口座と証券会社の証券取引口座とを連携させるための契約申込方法であって、
顧客端末から、１つまたは複数の銀行口座に紐付けられたインターネットバンキング契約者番号を受信するステップと、
前記受信した契約者番号に基づいて、第１のデータベースに含まれた前記１つまたは複数の銀行口座を特定するステップと、
前記特定された１つまたは複数の銀行口座のうちの１つについて、勘定系システムの第２のデータベースに契約を登録し、登録結果を前記勘定系システムから受信するステップと、
前記受信した登録結果がＮＧである場合、前記第２のデータベースに登録した契約を取り消し、申込結果（ＮＧ）を証券システムに送信するステップと、
前記受信した登録結果がＯＫである場合、前記特定された１つまたは複数の銀行口座が残っているかどうかを判定するステップと、
前記特定された１つまたは複数の銀行口座が残っている場合、当該残っている銀行口座について、前記第２のデータベースに契約を登録するステップを繰り返すステップと、
前記特定された１つまたは複数の銀行口座が残っていない場合、申込結果（ＯＫ）を前記証券システムに送信するステップと
を含むことを特徴とする契約申込方法。
【請求項２】
請求項１に記載の契約申込方法をコンピュータに実行させるコンピュータプログラム。
【請求項３】
銀行口座と証券会社の証券取引口座とを連携させるための契約申込システムであって、
顧客端末から、１つまたは複数の銀行口座に紐付けられたインターネットバンキング契約者番号を受信する手段と、
前記受信した契約者番号に基づいて、第１のデータベースに含まれた前記１つまたは複数の銀行口座を特定する手段と、
前記特定された１つまたは複数の銀行口座のうちの１つについて、勘定系システムの第２のデータベースに契約を登録し、登録結果を前記勘定系システムから受信する手段と、
前記受信した登録結果がＮＧである場合、前記第２のデータベースに登録した契約を取り消し、申込結果（ＮＧ）を証券システムに送信する手段と、
前記受信した登録結果がＯＫである場合、前記特定された１つまたは複数の銀行口座が残っているかどうかを判定する手段と、
前記特定された１つまたは複数の銀行口座が残っている場合、当該残っている銀行口座について、前記第２のデータベースに契約を登録するステップを繰り返す手段と、
前記特定された１つまたは複数の銀行口座が残っていない場合、申込結果（ＯＫ）を前記証券システムに送信する手段と
を備えることを特徴とする契約申込システム。
【発明の詳細な説明】
【技術分野】
【０００１】
本発明は、銀行の口座と証券会社の証券取引口座とを連携させるための契約申込方法及び契約申込システムに関する。
【背景技術】
【０００２】
近年、銀行が提供するインターネットバンキングが普及し、銀行口座の残高照会や、振込、振替等が、自宅のＰＣや携帯端末等を用いて行われている。また、証券会社が提供するインターネットを介した証券取引も普及しており、株式等の売買が自宅のＰＣや携帯端末等を用いて行われている。
【０００３】
このような環境の中、銀行の口座と証券会社の証券取引口座とを連携させ、銀行と証券会社との間の取引の利便性を向上させることが図られている。具体的には、証券会社の証券取引システムから、銀行口座の残高照会を行うことができたり、相互の資金移動を容易に行うことができたりすると、顧客にとって利便性が高くなる。
【０００４】
ここで、銀行の口座と証券会社の証券取引口座とを連携させるためには、顧客からその申込みを受け付ける必要がある。例えば、顧客が銀行のシステムからそのような契約を申し込む場合、自分の証券口座を特定するための店番号、口座番号、科目等を準備し、それらをＰＣや携帯端末に入力することが必要になると考えられる。
【発明の概要】
【発明が解決しようとする課題】
【０００５】
しかしながら、上述したような申込みの手続は顧客にとって煩雑であり、連携を申し込む銀行に複数の銀行口座を有している場合などは、その煩雑さが増してしまう。
【０００６】
本発明は、このような問題に鑑みてなされたものであり、その目的とするところは、顧客がより容易に手続を行うことができる、銀行の口座と証券会社の証券取引口座とを連携させるための契約申込方法及び契約申込システムを提供することにある。
【課題を解決するための手段】
【０００７】
このような目的を達成するために、本発明の一実施形態に係る契約申込方法は、顧客端末から、１つまたは複数の銀行口座に紐付けられたインターネットバンキング契約者番号を受信するステップと、前記受信した契約者番号に基づいて、第１のデータベースに含まれた前記１つまたは複数の銀行口座を特定するステップと、前記特定された１つまたは複数の銀行口座のうちの１つについて、勘定系システムの第２のデータベースに契約を登録し、登録結果を前記勘定系システムから受信するステップと、前記受信した登録結果がＮＧである場合、前記第２のデータベースに登録した契約を取り消し、申込結果（ＮＧ）を証券システムに送信するステップと、前記受信した登録結果がＯＫである場合、前記特定された１つまたは複数の銀行口座が残っているかどうかを判定するステップと、前記特定された１つまたは複数の銀行口座が残っている場合、当該残っている銀行口座について、前記第２のデータベースに契約を登録するステップを繰り返すステップと、前記特定された１つまたは複数の銀行口座が残っていない場合、申込結果（ＯＫ）を前記証券システムに送信するステップとを含むことを特徴とする。
【０００８】
また、本発明の一実施形態に係る契約申込システムは、顧客端末から、１つまたは複数の銀行口座に紐付けられたインターネットバンキング契約者番号を受信する手段と、前記受信した契約者番号に基づいて、第１のデータベースに含まれた前記１つまたは複数の銀行口座を特定する手段と、前記特定された１つまたは複数の銀行口座のうちの１つについて、勘定系システムの第２のデータベースに契約を登録し、登録結果を前記勘定系システムから受信する手段と、前記受信した登録結果がＮＧである場合、前記第２のデータベースに登録した契約を取り消し、申込結果（ＮＧ）を証券システムに送信する手段と、前記受信した登録結果がＯＫである場合、前記特定された１つまたは複数の銀行口座が残っているかどうかを判定する手段と、前記特定された１つまたは複数の銀行口座が残っている場合、当該残っている銀行口座について、前記第２のデータベースに契約を登録するステップを繰り返す手段と、前記特定された１つまたは複数の銀行口座が残っていない場合、申込結果（ＯＫ）を前記証券システムに送信する手段とを備えることを特徴とする。
【図面の簡単な説明】
【０００９】
【図１】本発明の一実施形態に係るシステムの構成図である。
【図２】本発明の一実施形態に係るデータベースを示す図である。
【図３】本発明の一実施形態に係る契約申込方法の処理フローを示す図である。
【発明を実施するための形態】
【００１０】
以下に、図面を参照しながら、本発明の実施形態について詳細に説明する。なお、複数の図面において同一の符号は同一物を表し、その繰り返しの説明は省略する。
【００１１】
図１は、本発明の一実施形態に係るシステムの構成を示す図である。  
【００１２】
顧客端末１０１は、インターネットなどのネットワーク１０２を介して、証券システム１０３にアクセスすることができる。証券システム１０３は、一般に複数のサーバコンピュータで構成され、アクセスしてきた顧客端末１０１に対して、株式等の売買、残高照会、入出金などのサービスを提供する。また、顧客端末１０１は、ネットワーク１０２を介して、インターネットバンキングシステム（以下、ＩＢシステム）１０４にもアクセスすることができる。ＩＢシステム１０４は、一般に複数のサーバコンピュータで構成され、アクセスしてきた顧客端末１０１に対して、銀行口座の残高照会や、振替、振込などのインターネットバンキングサービスを提供する。また、証券システム１０３とＩＢシステム１０４は専用線等によって接続されており、電文を用いて相互に通信可能である。電文は、後述するインターネットバンキング契約者番号（以下、ＩＢ契約者番号）、銀行口座の店番号、口座番号、科目コード等を含むことができる。
【００１３】
ＩＢシステム１０４は、証券システム１０３及び勘定系システム１０５と電文を相互に通信するための電文受信部１１１及び電文送信部１１２を備える。ＩＢシステム１０４は、銀行の基幹業務に利用される勘定系システム１０５とも専用線等によって接続されており、電文を用いて相互に通信可能である。また、後述するデータベース１１７を参照して、ＩＢ契約者番号に紐付けられた口座を特定するための口座特定部１１３、勘定系システム１０５から受信した登録結果を判定する登録結果判定部１１４、特定された銀行口座が残っているかどうかを判定する残口座判定部１１５を備える。
【００１４】
ＩＢシステム１０４のデータベース１１７は、顧客情報とともに、図２に示すように、インターネットバンキングを利用する顧客に割り当てられたＩＢ契約者番号を含み、ＩＢ契約者番号には、顧客が有する１つまたは複数の銀行口座が紐付けられている。例えば、図２では、ＩＢ契約者番号に対して、Ａ店の普通預金口座及びＢ店の普通預金口座が紐付けられている。この場合、インターネットバンキングの利用者は、それら２つの銀行口座において、インターネットバンキングサービスを利用することができる。
【００１５】
勘定系システム１０５は、ＩＢシステム１０４と電文を相互に通信するための電文受信部１２１及び電文送信部１２２を備える。また、後述するデータベース１２７に対して契約を登録する契約登録部１２３、契約を取り消す契約取消部１２４を備える。
【００１６】
勘定系システム１０５のデータベース１２７は、顧客情報とともに、図２に示すように、店毎に顧客の銀行口座を含み、さらに、その口座について、死亡届が提出されているか、本人確認が済んでいるかなどの情報を含む。死亡届が提出されていたり、本人確認が済んでいない場合には、契約を登録することはできない。
【００１７】
なお、顧客端末１０１、並びに証券システム１０３、ＩＢシステム１０４、及び勘定系システム１０５を構成するコンピュータ、は、処理装置（ＣＰＵ）、メモリ、記憶装置などを備え、メモリまたは記憶装置に記憶されたコンピュータプログラムを処理装置（ＣＰＵ）が処理することによって統括的に制御され、本発明に係る処理を実施し、その機能を実現することができる。なお、上述したシステム構成は、例示のためのものであり、本発明を実施することができるシステム構成を限定するものではない。
【００１８】
次いで、図３を参照して、本発明の一実施形態に係る契約申込方法の処理フローを説明する。本発明では、銀行の口座と証券会社の証券取引口座との連携を望む顧客は、まず、ＩＢシステム１０４にアクセスする。
【００１９】
ステップ３０１において、ＩＢシステム１０４は、顧客の銀行口座を事前に照会するために、顧客端末１０１からＩＢ契約者番号を受信する。
【００２０】
ステップ３０２において、ＩＢシステム１０４は、データベース１１７を照会し、受信したＩＢ契約者番号に紐付く１つまたは複数の銀行口座を特定し、契約者情報及び顧客情報を含む照会結果電文を証券システム１０３に送信する。
【００２１】
ステップ３０３において、証券システム１０３は、受信した銀行側顧客情報と証券システム１０３に登録されている顧客情報を比較し、両者の顧客情報が一致していれば、次いで、ＩＢ契約者番号を含む登録要求電文をＩＢシステム１０４に送信する。
【００２２】
ステップ３０４において、ＩＢシステム１０４は、登録要求電文に含まれたＩＢ契約者番号に基づいて、１つまたは複数の銀行口座を特定する。
【００２３】
次いで、ステップ３０５において、特定された銀行口座のうちの１つについて、登録要求電文を勘定系システム１０５に送信する。
【００２４】
ステップ３０６において、勘定系システム１０５は、登録要求電文に含まれた銀行口座について、契約の登録をデータベース１２７に行う。また、その口座に対して、死亡届が提出されているか、本人確認が済んでいるかなどを、データベース１２７を参照して確認する。図２を参照して説明すると、同じ顧客の銀行口座であっても、Ａ店には死亡届が提出されているが、Ｂ店には死亡届が提出されていないというような場合がある。そのような場合、登録結果はＮＧとする。一方、そのような問題がなければ、登録結果はＯＫとする。このように、勘定系システム１０５は、契約を行えるかどうかを判定し、登録結果を含む登録結果電文を、ＩＢシステム１０４に送信する。
【００２５】
ステップ３０７において、ＩＢシステム１０４は、登録結果電文に含まれた登録結果が、ＯＫであるかまたはＮＧであるかを判定する。登録結果がＮＧであった場合、処理はステップ３０８に進む。
【００２６】
ステップ３０８では、登録の取消要求電文が、ＩＢシステム１０４から勘定系システム１０５に送信される。次いで、ステップ３０９において、勘定系システム１０５は、データベース１２７に対して行った契約の登録を取り消し、取消結果電文をＩＢシステム１０４に送信する。ステップ３１０において、ＩＢシステム１０４は、取消結果電文を受信すると、契約の申込結果をＮＧとして証券システム１０３に通知する。
【００２７】
一方、ステップ３０７において登録結果がＯＫであった場合、処理はステップ３１１に進む。ここでは、ステップ３０４において特定された銀行口座が残っているかどうかを判定する。特定された銀行口座が残っている場合、処理はステップ３０５に戻り、残っている銀行口座について、契約の登録処理が繰り返される。一方、特定された銀行口座が残っていない場合、処理はステップ３１２に進む。
【００２８】
ステップ３１２において、ＩＢシステム１０４は、申込結果をＯＫとして証券システム１０３に通知する。
【００２９】
ステップ３１３において、証券システム１０３が申込結果（ＮＧまたはＯＫ）を受信し、処理を終了する。
【００３０】
以上説明したように、本発明は、インターネットバンキング契約者番号を用いて、銀行口座と証券会社の証券取引口座とを連携させるための契約の申込みを受け付け、当該インターネットバンキング契約者番号に紐付けられた銀行口座について契約の登録を行う。また、契約の登録は、１つまたは複数の銀行口座毎に行われ、１つの銀行口座にでも問題があった場合は、契約の申込はＮＧとなる。本発明によると、顧客は、インターネットバンキング契約者番号を入力するだけで契約を申し込むことができ、より容易に手続を行えるようになる。
【符号の説明】
【００３１】
１０１  顧客端末
１０２  ネットワーク
１０３  証券システム
１０４  インターネットバンキングシステム
１０５  勘定系システム
１１１  電文受信
１１２  電文送信
１１３  口座特定
１１４  登録結果判定
１１５  残口座判定
１１７  データベース
１２１  電文受信
１２２  電文送信
１２３  契約登録
１２４  契約取消
１２７  データベース
【図１】
0005456117.tif 000002
【図２】
0005456117.tif 000003
【図３】
0005456117.tif 000004